(57)【特許請求の範囲】
【請求項１】
サムターンケースに回転自在に装着され、錠装置の錠操作部に連結されて該錠装置を操作する錠操作軸にサムターンを着脱可能に連結したサムターン装置であって、
前記サムターンは、回転中心位置に設けられたガイド部を錠操作軸の位置決め部に回転自在に嵌合して、錠操作軸に空転自在に位置決めされるとともに、
ガイド部から離隔した位置に設けられた連結部を錠操作軸の被連結部に嵌合して、錠操作軸に回転方向に連結されるサムターン装置。
【請求項２】
前記連結部は、同一円周上に複数配置され、基部および突出部を設けて形成される請求項１記載のサムターン装置。
【請求項３】
前記連結部は突起状に形成されるとともに、
前記サムターンケースには、初期位置から作動位置まで移動操作可能で、初期位置において前記連結部の外周壁に形成された係止溝に係止してサムターンの離脱を規制し、作動位置において前記係止溝との係止が解除される着脱レバーが装着される請求項１または２記載のサムターン装置。
【請求項４】
前記連結部は、錠操作軸に形成される複数種の被連結部の一に嵌合可能な形状に形成され、異種の被連結部を有する錠操作軸へのサムターンの装着を禁止する請求項１から３のいずれかに記載のサムターン装置。
【請求項５】
請求項１から４のいずれかに記載の前記サムターン装置をハンドル装置に備え、そのハンドル装置を備えた建具。
【発明の詳細な説明】
【技術分野】
【０００１】
本発明は、サムターン装置およびサムターン装置を備えた建具に関するものである。
【背景技術】
【０００２】
錠装置を解錠キーなしに施解錠操作するために扉に固定されるサムターン装置としては、特許文献１に記載のものが知られている。
【０００３】
この従来例において、サムターン装置は、ベースに回転自在に装着されるサムターン軸に着脱サムターンを着脱自在に連結して形成され、着脱サムターンに与えた回転操作力をサムターン軸を介して錠装置に伝達して錠装置の施解錠操作を行うことができる。
【０００４】
着脱サムターンは、回転中心上に配置される着脱軸の外周に突設される突起を有しており、該突起をサムターン軸の切欠部に嵌合させることにより着脱サムターンの回転力がサムターン軸に伝達される。
【先行技術文献】
【特許文献】
【０００５】
【特許文献１】特開２００７-２５５１３５号公報
【発明の概要】
【発明が解決しようとする課題】
【０００６】
しかし、上述した従来例において、突起が比較的細径の着脱軸に形成されるために、回転操作時における突起の応力負担が大きなために、着脱軸を強度の高い金属材料等により形成する必要が生じ、コストアップを招くという欠点がある。
【０００７】
本発明は、以上の欠点を解消すべくなされたものであって、製造コストを低減させることのできるサムターン装置の提供を目的とする。また、本発明の他の目的は、上記サムターン装置を備えた建具の提供にある。
【課題を解決するための手段】
【０００８】
本発明によれば上記目的は、
サムターンケース１に回転自在に装着され、錠装置２の錠操作部３に連結されて該錠装置２を操作する錠操作軸４にサムターン５を着脱可能に連結したサムターン装置であって、
前記サムターン５は、回転中心位置に設けられたガイド部６を錠操作軸４の位置決め部７に回転自在に嵌合して、錠操作軸４に空転自在に位置決めされるとともに、
ガイド部６から離隔した位置に設けられた連結部８を錠操作軸４の被連結部９に嵌合して、錠操作軸４に回転方向に連結されるサムターン装置を提供することにより達成される。
【０００９】
連結部８とガイド部６とが離隔した位置に設けられる本発明において、サムターン５を回転操作する際の連結部８、あるいは被連結部９における荷重負担は小さくなるために、金属等の高価な材料を使用する必要がなくなり、コスト低減が可能になる。
【００１０】
また、サムターン装置は、
前記連結部８は、同一円周上に複数配置され、基部１０および突出部９ｂを設けて形成するように構成される。
【００１１】
さらに、サムターン装置は、
前記連結部８は突起状に形成されるとともに、
前記サムターンケース１には、初期位置から作動位置まで移動操作可能で、初期位置において前記連結部８の外周壁に形成された係止溝１２に係止してサムターン５の離脱を規制し、作動位置において前記係止溝１２との係止が解除される着脱レバ１３ーが装着されるように構成することができる。
【００１２】
本発明において、連結部８を着脱レバー１３の係止部として利用することかできるために、着脱レバー１３の移動に伴って係脱する部位を別途設定する場合に比して構造を簡単にすることが可能になる。
【００１３】
また、サムターン装置は、
前記連結部８は、錠操作軸４に形成される複数種の被連結部９の一に嵌合可能な形状に形成され、異種の被連結部９を有する錠操作軸４へのサムターン５の装 着を禁止するように構成することが可能であり、この場合、サムターン５は、連結部８が嵌合可能な錠操作軸４にのみ連結することができるために、不正なサム ターン５を装着された不正解錠操作を防止できる。
なお、本発明によれば、
サムターンケース１に回転自在に装着され、錠装置２の錠操作部３に連結されて該錠装置２を操作する錠操作軸４にサムターン５を着脱可能に連結したサムターン装置であって、
前記サムターン５は、ガイド部６を錠操作軸４の位置決め部７に嵌合させるとともに、
ガイド部６から離隔した位置に設けられた連結部８を錠操作軸４の被連結部９に嵌合して錠操作軸４に回転方向に連結されるサムターン装置を提供することも可能である。
【発明の効果】
【００１４】
本発明によれば、連結部での荷重負担を小さくすることが可能になるために、金属に比して強度の小さな合成樹脂材等を使用することができ、コスト低減を図ることができる。
【００１５】
また、連結部８と被連結部９との係止箇所はサムターン５の回転中心から離隔した位置で相互に係止するために、連結状態においてサムターン５のぐらつき、がたつきを効果的に防止することができる。
【図面の簡単な説明】
【００１６】
【図１】ハンドル装置を示す図で、（ａ）はインサイドハンドルと電気錠の位置関係を示す図、（ｂ）は（ａ）のＢ方向矢視図である。
【図２】ハンドル装置の玄関扉への装着状態を示す図で、（ａ）は屋外側壁面を示す図、（ｂ）は屋内側壁面を示す図である。
【図３】サムターン装置を示す図で、（ａ）は正面図、（ｂ）は（ａ）の２Ｂ-２Ｂ線断面図である。
【図４】サムターン装置の分解斜視図である。
【図５】サムターンの装着状態を示す説明図で、（ａ）は側面図、（ｂ）は（ａ）においてサムターンを４Ｂ方向から見た平面図、（ｃ）は錠操作軸を（ａ）の４Ｃ方向から見た図、（ｄ）から（ｆ）はキー違い形成部の変化を示す図である。
【図６】着脱レバーを示す図で、（ａ）は分解図、（ｂ）はロック状態を示す図、（ｃ）はロック解除状態を示す図である。
【図７】サムターン装置の取り付け状態を示す分解斜視図である。
【発明を実施するための形態】
【００１７】
図１に本発明のサムターン装置が搭載されたハンドル装置を、図２に玄関扉（Ａ）として構成された建具を示す。玄関扉（Ａ）は、扉体１５に電気錠（錠装置２）と、ハンドル装置とを装着して形成される。
【００１８】
ハンドル装置は、屋外取付ベース１４により扉体１５の屋外側壁面に取り付けられるアウトサイドハンドル１６と、屋内取付ベース１７により扉体の屋内側壁面に取り付けられるインサイドハンドル１８とを有する。
【００１９】
また、上記電気錠２は、扉体１５の上下に固定されており、各電気錠２には、図外のアクチュエータにより駆動され、図外のドア枠に固定されるストライク１９に係脱して扉を施解錠するデッドボルト２０が収容される。また、上方に配置される電気錠２には、デッドボルト２０に加え、ラッチボルト２１が収容され、該ラッチボルト２１をストライク１９に係止させることにより扉１５の閉扉状態が維持される。
【００２０】
上記電気錠２は商用電源（Ｐ）からの給電を受けて動作し、商用電源（Ｐ）からの電力は、ドア内配線２９を経由して、先ず下方の電気錠２に導入された後、錠間配線３０を経由して上方の電気錠２に供給される。
【００２１】
アウトサイドハンドル１６は、図１（ｂ）における矢印Ｒ方向に回転操作可能であり、アウトサイドハンドル１６を回転操作すると、ラッチボルト２１のストライク１９との係止が解除される。
【００２２】
これに対し、インサイドハンドル１８は軸（Ｃ）周りに回転操作可能であり、インサイドハンドル１８の回転操作により同様にラッチボルト２１の係止解除動作が行われる。
【００２３】
サムターン装置は、各屋内取付ベース１７に組み込まれ、図３以下に示すように、屋内取付ベース１７のケースを兼ねるサムターンケース１にサムターン５、錠操作軸４、着脱レバー１３、および底部カバー２２を有し、サムターン５を回転操作することにより電気錠２に配置される錠操作部３を回転駆動してデッドボルト２０を施解錠操作することができる（図７参照）。
【００２４】
図５に示すように、上記サムターン５は合成樹脂材を射出成形、あるいは切削加工して形成され、円板状基部５ａと、円板状基部５ａの表面部に突設され、指で摘んでサムターン５に回転操作を与えるための操作突部５ｂと、円板状基部５ａの裏面中心に立設されるガイド部６とを有する。
【００２５】
また、ガイド部６の中心から適宜間隔離隔した位置に突起状の連結部８が複数個設けられる。各連結部８は、同一円周上に配置される円弧状の基部１０から中心方向に突出部１１を突出させて形成される。
【００２６】
一方、錠操作軸４は、図５に示すように、円板部４ａの裏面に連結軸部４ｂを突設して形成される。図４に示すように、この錠操作軸４は、円板部４ａをサムターンケース１に開設される装着開口１ａの裏面に突設される摺動突部１ｂと着脱レバー１３により挟み付けて装着され、装着状態において、連結軸部４ｂは底部カバー２２に開設した軸挿通孔２２ａに挿通し、回転軸を提供する。錠操作軸４と摺動突部１ｂとの間には、電気錠２の施解錠状態を表示するためのシート２３が介装される。
【００２７】
また、連結軸部４ｂの先端には後述するサムターンスピンドル２４に回転方向に連結するためのセレーション４ｃが形成される。
【００２８】
さらに、円板部４ａ、および連結軸部４ｂには、円板部４ａ表面に開放され、連結軸部４ｂと同心の位置決め部７が開設される。位置決め部７は上記サムターン５のガイド部６が嵌合可能な径寸法に形成される。
【００２９】
上記錠操作軸４の円板部４ａの表面には、被連結部９が形成される。被連結部９は、上記サムターン５の連結部８が嵌合可能な凹部として形成される。図５に示すように、被連結部９も連結部８と同様に、円弧状の基部９ａから突出部９ｂを突出させた形状に形成されており、図５（ｂ）、および（ｄ）から（ｆ）に示すように、突出部９ｂの位置を変更した４種が設定され、サムターン５にも被連結部９に嵌合可能な連結部８が４種類設定される。
【００３０】
従って本例において、図５（ｂ）に示す被連結部９を有する錠操作軸４がサムターンケース１に保持されている場合、この被連結部９に嵌合可能な連結部８を有するサムターン５のみが錠操作軸４に連結してデッドボルト２０の施解錠操作が可能になる。
【００３１】
なお、以上においては、連結部８は、円弧状の基部１０から中心方向に突出部１１を突出させて形成される場合が示されているが、基部１０を接線方向に延びる直線により形成するとともに、その中心から突出部１１を突設したＴ字形状に形成することもできる。さらに、ガイド部６は筒形状に形成される場合を示したが、溝形状に形成し、位置決め部７をガイド部６に嵌合するピンにより形成することもできる。
【００３２】
さらに、図５（ａ）、図６に示すように、連結部８の基部１０の外周壁には、サムターンケース１に装着される着脱レバー１３が係脱する係止溝１２が水平方向に形成される。着脱レバー１３は、サムターン５の回転中心、すなわち、ガイド部６に直交する面内で初期位置と作動位置との間でスライド操作可能であり、圧縮スプリング１３ａにより初期位置側に付勢される。
【００３３】
また、着脱レバー１３は、中央部に小径部２５ａと大径部２５ｂとが連結されたロック用開口２５を有し、一端をサムターンケース１から露出させて配置され、先端部をサムターンケース１内に押し込むようにして初期位置から作動位置に移動させることができる。
【００３４】
図６はサムターン５の連結部８と着脱レバー１３のロック用開口２５の関係を示すもので、（ａ）に示すように、ロック用開口２５の小径部２５ａの径（Ｄａ）は、連結部８に形成される係止溝１２の外周径（Ｄ12）にほぼ等しく、大径部２５ｂの径（Ｄｂ）は、連結部８の外周径よりやや大寸に形成され、さらに、大径部２５ｂと小径部25ａとの中心間距離（ｄ）は、着脱レバー１３のストロークに一致する。
【００３５】
図６（ｂ）は着脱レバー１３が初期位置にあるときの関係を示すもので、初期位置において上記ロック用開口２５の小径部２５ａの内周壁面は連結部８の係止溝１２に摺接している。この状態で、連結部８に着脱レバー１３が噛み込んでいるために、サムターン５をサムターンケース１から引き抜くことはできず、かつ、小径部２５ａの内周壁と係止溝１２とは同一円で接するために、サムターン５の回転操作に支障を来さない。
【００３６】
この状態から図６（ｃ）に示すように、着脱レバー１３をサムターンケース１内に押し込んで作動位置に移動させると、大径部２５ｂの中心がサムターン５の回転中心に移動する。この状態で、ロック用開口２５と連結部８との干渉が解消されるために、以後、サムターン５を自由に引き抜くことができる。図６（ｃ）に示すように、一旦着脱レバー１３を作動位置に移動させると、サムターン５の回転角度にかかわらず、どの回転位置でもサムターン５の抜去、装着が可能になる。
【００３７】
以上のようにして構成されるサムターン装置は、図７に示すように、中継機構２６を介して電気錠２の錠操作部３に連結される。本例において、中継機構２６は、電気錠２の錠操作部３に嵌合されるサムターン座２６ａ、サムターン座２６ａ内に挿入されるサムターンカム２６ｂ、およびサムターンスピンドル２４からなり、サムターン装置の錠操作軸４のセレーション４ｃは、サムターンスピンドル２４に噛合して電気錠２のデッドボルト２０を手動で操作可能にする。
【００３８】
これら中継機構を所定位置に保持した後、サムターン装置にはバックプレート２７が固定され、バックプレート２７と扉表面の間にゴムシート２８を介装した状態で扉１５に固定される。
【符号の説明】
【００３９】
１        サムターンケース
２        錠装置
３        錠操作部
４        錠操作軸
５        サムターン
６        ガイド部
７        位置決め部
８        連結部
９        被連結部
１０      基部
１１      突出部
１２      係止溝
１３      着脱レバー  
Ａ        玄関扉
【図１】
0005711085.tif 000002
【図２】
0005711085.tif 000003
【図３】
0005711085.tif 000004
【図４】
0005711085.tif 000005
【図５】
0005711085.tif 000006
【図６】
0005711085.tif 000007
【図７】
0005711085.tif 000008